(57)【要約】【課題】受動光アクセス網において、マクロセルおよびスモールセルを効率的に収容する。【解決手段】本発明の局側光終端装置は、受動光アクセス網に適用され、複数の加入者側光終端装置と光通信を行なう局側光終端装置であって、Ｃ−ＯＮＵ３０との間で光通信を行なう光送受信部１２およびＵ−ＯＮＵ４０−１〜４０−ｎとの間で光通信を行なう高出力光送受信部１３−１〜１３−ｎと、Ｃ−ＯＮＵ３０からリソースを要求するリソース要求信号を受信せずに、光送受信部１２を介してＣ−ＯＮＵ３０にリソースの割り当てを行なう一方、Ｕ−ＯＮＵ４０−１〜４０−ｎから受信したリソース要求信号に基づいて、高出力光送受信部１３−１〜１３−ｎを介してＵ−ＯＮＵ４０−１〜４０−ｎにリソースの割り当てを行なう制御部１５と、を備える。【選択図】図１
2016010036.tif 000002
【特許請求の範囲】
【請求項１】
受動光アクセス網に適用され、複数の加入者側光終端装置と光通信を行なう局側光終端装置であって、
第１の加入者側光終端装置との間で光通信を行なう第１の光送受信部および第２の加入者側光終端装置との間で光通信を行なう第２の光送受信部と、
前記第１の加入者側光終端装置からリソースを要求するリソース要求信号を受信せずに、前記第１の光送受信部を介して前記第１の加入者側光終端装置にリソースの割り当てを行なう一方、前記第２の加入者側光終端装置から受信した前記リソース要求信号に基づいて、前記第２の光送受信部を介して前記第２の加入者側光終端装置にリソースの割り当てを行なう制御部と、を備えることを特徴とする局側光終端装置。
【請求項２】
前記第２の光送受信部の光出力レベルおよび受光感度は、相対的に前記第１の光送受信部の光出力レベルおよび受光感度よりも高いことを特徴とする請求項１記載の局側光終端装置。
【請求項３】
前記第２の加入者側光終端装置へ接続する光分岐比が、相対的に前記第１の加入者側光終端装置へ接続する光分岐比よりも高い光カプラを備えることを特徴とする請求項１記載の局側光終端装置。
【請求項４】
前記第１の光送受信部は、固定帯域で前記第１の加入者側光終端装置と光通信を行なう一方、前記第２の光送受信部は、動的に時間スロットを制御して前記第２の加入者側光終端装置と光通信を行なうことを特徴とする請求項１記載の局側光終端装置。
【請求項５】
受動光アクセス網に適用され、局側光終端装置と複数の加入者側光終端装置との光通信を中継する光中継装置であって、
前記局側光終端装置と第１の加入者側光終端装置との光通信で用いられる光信号を中継する中継光送受信部と、
前記局側光終端装置と第２の加入者側光終端装置との光通信で用いられる光信号を再生中継する光再生部と、を備えることを特徴とする光中継装置。
【請求項６】
前記光再生部は、光電変換機能または光増幅機能を有し、入出力する光信号の波長を変更可能であることを特徴とする請求項５記載の光中継装置。
【請求項７】
受動光アクセス網に適用され、複数の加入者側光終端装置と光通信を行なう局側光終端装置のプログラムであって、
第１の加入者側光終端装置との間で光通信を行なう処理と、
第２の加入者側光終端装置との間で光通信を行なう処理と、
前記第１の加入者側光終端装置からリソースを要求するリソース要求信号を受信せずに、前記第１の光送受信部を介して前記第１の加入者側光終端装置にリソースの割り当てを行なう処理と、
前記第２の加入者側光終端装置から受信した前記リソース要求信号に基づいて、前記第２の光送受信部を介して前記第２の加入者側光終端装置にリソースの割り当てを行なう処理と、の一連の処理をコンピュータに実行させることを特徴とするプログラム。
【請求項８】
受動光アクセス網に適用され、複数の加入者側光終端装置と光通信を行なう局側光終端装置の光通信方法であって、
第１の光送受信部において、第１の加入者側光終端装置との間で光通信を行なうステップと、
第２の光送受信部において、第２の加入者側光終端装置との間で光通信を行なうステップと、
前記第１の加入者側光終端装置からリソースを要求するリソース要求信号を受信せずに、前記第１の光送受信部を介して前記第１の加入者側光終端装置にリソースの割り当てを行なうステップと、
前記第２の加入者側光終端装置から受信した前記リソース要求信号に基づいて、前記第２の光送受信部を介して前記第２の加入者側光終端装置にリソースの割り当てを行なうステップと、を少なくとも含むことを特徴とする光通信方法。
【発明の詳細な説明】
【技術分野】
【０００１】
本発明は、受動光アクセス網に適用され、局側光終端装置が複数の加入者側光終端装置と光通信を行なう技術に関する。
【背景技術】
【０００２】
近年、加入者によるネットワークへの高速アクセスを実現させるため、受動光アクセス網（PON：Passive Optical Network）が利用されている。ＰＯＮにおいては、１つの局側光終端装置（OLT：Optical Line Terminal）に、光スプリッタ等を介して複数の加入者側光終端装置（ONU：Optical Network Unit）を収容する構成が採られている。そして、各ＯＮＵがＯＬＴに送信する信号が衝突しないように、ＯＬＴがＯＮＵに上り方向のリソースを割り当てる。
【０００３】
このようなＰＯＮでは、リソースの割り当ては、時分割多重（TDM：Time Division Multiplexing）で行なわれていた。つまり、各ＯＮＵは、上り方向において同一の波長を使用し、ＯＬＴは、各ＯＮＵに対して送信タイミングおよび送信期間を指定することによって、リソースを割り当てていた。
【０００４】
しかしながら、近年、ＰＯＮの容量の拡大が求められており、例えば、非特許文献１は、ＰＯＮに、ＴＤＭおよび波長分割多重（WDM：Wavelength Division Multiplexing）を適用したＴＷＤＭ（Time and Wavelength Division Multiplexing）−ＰＯＮを開示している。ＴＷＤＭ−ＰＯＮにおいては、ＯＬＴがＯＮＵに対して使用する波長、送信タイミングおよび送信期間を指定することになる。
【０００５】
一方、移動通信網が提供する無線アクセスネットワークの高速化に伴い、基地局がカバーする領域（セル）が狭くなり、よって、移動通信網に設置すべき基地局の数が増大している。このため、複数の基地局を収容するためのネットワークとして、ＰＯＮの利用が検討されている。図５は、移動通信網における周波数利用効率を向上させる技術の一例を示す図である。非特許文献２では、図５に示すように、制御信号の通信を行なうために２ＧＨｚ帯のマクロセル（Ｃプレーン）を割り当てる一方、高速データの通信を行なうためにそれより高い周波数帯のスモールセル（Ｕプレーン）を割り当てるＣ／Ｕ分離技術を開示している。
【先行技術文献】
【非特許文献】
【０００６】
【非特許文献１】飯田大輔，桑野茂，可児淳一，寺田純，“動的TWDM-PON技術による無線アクセスネットワークの帯域利用効率向上，”2013年電子情報通信学会ソサイエティ大会，B-8-35，2013年9月．
【非特許文献２】奥村幸彦，“マイクロ波・ミリ波を用いる将来無線アクセス・モバイル光ネットワーク，”信学技報，vol. 113，no. 397，MWP2013-85，pp. 199-200，2014年1月．
【発明の概要】
【発明が解決しようとする課題】
【０００７】
上述したＣ／Ｕ分離技術によって、マクロセルとスモールセルを効率的に収容するためには、図６に示すように、ＰＯＮ方式を適用することが望ましい。しかしながら、マクロセルと比較して、スモールセルは多数設定されることから、１台のＯＬＴでマクロセルと複数のスモールセルを収容する場合、許容される光損失量がマクロセルとスモールセルとでそれぞれ異なることとなる。また、スモールセルはマクロセルと比べてデータ通信量が多くなると考えられることから、必要な光通信帯域もそれぞれ異なる。したがって、マクロセルおよびスモールセルを、従来のＴＤＭ−ＰＯＮまたはＴＷＤＭ−ＰＯＮで収容すると、許容光損失および光通信帯域の観点から非効率になってしまう。
【０００８】
本発明は、このような事情に鑑みてなされたものであり、受動光アクセス網において、マクロセルおよびスモールセルを効率的に収容することができる局側光終端装置、光中継装置、プログラムおよび光通信方法を提供することを目的とする。
【課題を解決するための手段】
【０００９】
（１）上記の目的を達成するために、本発明は、以下のような手段を講じた。すなわち、本発明の局側光終端装置は、受動光アクセス網に適用され、複数の加入者側光終端装置と光通信を行なう局側光終端装置であって、第１の加入者側光終端装置との間で光通信を行なう第１の光送受信部および第２の加入者側光終端装置との間で光通信を行なう第２の光送受信部と、前記第１の加入者側光終端装置からリソースを要求するリソース要求信号を受信せずに、前記第１の光送受信部を介して前記第１の加入者側光終端装置にリソースの割り当てを行なう一方、前記第２の加入者側光終端装置から受信した前記リソース要求信号に基づいて、前記第２の光送受信部を介して前記第２の加入者側光終端装置にリソースの割り当てを行なう制御部と、を備えることを特徴とする。
【００１０】
このように、第１の加入者側光終端装置からリソースを要求するリソース要求信号を受信せずに、第１の光送受信部を介して第１の加入者側光終端装置にリソースの割り当てを行なう一方、第２の加入者側光終端装置から受信した前記リソース要求信号に基づいて、第２の光送受信部を介して第２の加入者側光終端装置にリソースの割り当てを行なうので、１台の局側光終端装置で第１の加入者側光終端装置および第２の加入者側光終端装置を効率的に収容することが可能となる。例えば、マクロセルおよび多数のスモールセルを一つのＯＬＴ（Optical Line Terminal）で効率的に収容することが可能となる。
【００１１】
（２）また、本発明の局側光終端装置において、前記第２の光送受信部の光出力レベルおよび受光感度は、相対的に前記第１の光送受信部の光出力レベルおよび受光感度よりも高いことを特徴とする。
【００１２】
このように、第２の光送受信部の光出力レベルおよび受光感度は、相対的に第１の光送受信部の光出力レベルおよび受光感度よりも高いので、許容光損失を拡大することが可能となる。その結果、１つの局側光終端装置で第１の加入者側光終端装置および第２の加入者側光終端装置を効率的に収容することが可能となる。
【００１３】
（３）また、本発明の局側光終端装置において、前記第２の加入者側光終端装置へ接続する光分岐比が、相対的に前記第１の加入者側光終端装置へ接続する光分岐比よりも高い光カプラを備えることを特徴とする。
【００１４】
このように、第２の加入者側光終端装置へ接続する光分岐比が、相対的に第１の加入者側光終端装置へ接続する光分岐比よりも高いので、局側光終端装置における第２の光送受信部を、光出力レベルおよび受光感度が低い光送受信モジュールで構成することが可能となる。
【００１５】
（４）また、本発明の局側光終端装置において、前記第１の光送受信部は、固定帯域で前記第１の加入者側光終端装置と光通信を行なう一方、前記第２の光送受信部は、動的に時間スロットを制御して前記第２の加入者側光終端装置と光通信を行なうことを特徴とする。
【００１６】
このように、第１の光送受信部は、固定帯域で第１の加入者側光終端装置と光通信を行なう一方、第２の光送受信部は、動的に時間スロットを制御して第２の加入者側光終端装置と光通信を行なうので、時分割多重のみを使用する光通信システムにも適用することが可能となる。
【００１７】
（５）また、本発明の光中継装置は、受動光アクセス網に適用され、局側光終端装置と複数の加入者側光終端装置との光通信を中継する光中継装置であって、前記局側光終端装置と第１の加入者側光終端装置との光通信で用いられる光信号を中継する中継光送受信部と、前記局側光終端装置と第２の加入者側光終端装置との光通信で用いられる光信号を再生中継する光再生部と、を備えることを特徴とする。
【００１８】
このように、中継光送受信部において、局側光終端装置と第１の加入者側光終端装置との光通信で用いられる光信号を中継し、光再生部において、局側光終端装置と第２の加入者側光終端装置との光通信で用いられる光信号を再生中継するので、１台の局側光終端装置で第１の加入者側光終端装置および第２の加入者側光終端装置を効率的に収容することが可能となる。
【００１９】
（６）また、本発明の光中継装置において、前記光再生部は、光電変換機能または光増幅機能を有し、入出力する光信号の波長を変更可能であることを特徴とする。
【００２０】
このように、光再生部は、光電変換機能または光増幅機能を有し、入出力する光信号の波長を変更可能であるので、１台の光中継装置で第１の加入者側光終端装置および第２の加入者側光終端装置を効率的に収容することが可能となる。
【００２１】
（７）また、本発明のプログラムは、受動光アクセス網に適用され、複数の加入者側光終端装置と光通信を行なう局側光終端装置のプログラムであって、第１の加入者側光終端装置との間で光通信を行なう処理と、第２の加入者側光終端装置との間で光通信を行なう処理と、前記第１の加入者側光終端装置からリソースを要求するリソース要求信号を受信せずに、前記第１の光送受信部を介して前記第１の加入者側光終端装置にリソースの割り当てを行なう処理と、前記第２の加入者側光終端装置から受信した前記リソース要求信号に基づいて、前記第２の光送受信部を介して前記第２の加入者側光終端装置にリソースの割り当てを行なう処理と、の一連の処理をコンピュータに実行させることを特徴とする。
【００２２】
このように、第１の加入者側光終端装置からリソースを要求するリソース要求信号を受信せずに、第１の光送受信部を介して第１の加入者側光終端装置にリソースの割り当てを行なう一方、第２の加入者側光終端装置から受信した前記リソース要求信号に基づいて、第２の光送受信部を介して第２の加入者側光終端装置にリソースの割り当てを行なうので、１台の局側光終端装置で第１の加入者側光終端装置および第２の加入者側光終端装置を効率的に収容することが可能となる。例えば、マクロセルおよび多数のスモールセルを一つのＯＬＴ（Optical Line Terminal）で効率的に収容することが可能となる。
【００２３】
（８）また、本発明の光通信方法は、受動光アクセス網に適用され、複数の加入者側光終端装置と光通信を行なう局側光終端装置の光通信方法であって、第１の光送受信部において、第１の加入者側光終端装置との間で光通信を行なうステップと、第２の光送受信部において、第２の加入者側光終端装置との間で光通信を行なうステップと、前記第１の加入者側光終端装置からリソースを要求するリソース要求信号を受信せずに、前記第１の光送受信部を介して前記第１の加入者側光終端装置にリソースの割り当てを行なうステップと、前記第２の加入者側光終端装置から受信した前記リソース要求信号に基づいて、前記第２の光送受信部を介して前記第２の加入者側光終端装置にリソースの割り当てを行なうステップと、を少なくとも含むことを特徴とする。
【００２４】
このように、第１の加入者側光終端装置からリソースを要求するリソース要求信号を受信せずに、第１の光送受信部を介して第１の加入者側光終端装置にリソースの割り当てを行なう一方、第２の加入者側光終端装置から受信した前記リソース要求信号に基づいて、第２の光送受信部を介して第２の加入者側光終端装置にリソースの割り当てを行なうので、１台の局側光終端装置で第１の加入者側光終端装置および第２の加入者側光終端装置を効率的に収容することが可能となる。例えば、マクロセルおよび多数のスモールセルを一つのＯＬＴ（Optical Line Terminal）で効率的に収容することが可能となる。
【発明の効果】
【００２５】
本発明によれば、１台の局側光終端装置で第１の加入者側光終端装置および第２の加入者側光終端装置を効率的に収容することが可能となる。例えば、マクロセルおよび多数のスモールセルを一つのＯＬＴ（Optical Line Terminal）で効率的に収容することが可能となる。
【図面の簡単な説明】
【００２６】
【図１】第１の実施形態に係る光通信システムの概略構成を示す図である。
【図２】ＯＬＴとＣ−ＯＮＵとの光通信の様子を示すシーケンスチャートである。
【図３】ＯＬＴとＵ−ＯＮＵとの光通信の様子を示すシーケンスチャートである。
【図４】第２の実施形態に係る光通信システムの概略構成を示す図である。
【図５】移動通信網における周波数利用効率を向上させる技術の一例を示す図である。
【図６】ＰＯＮの構成を示す図である。
【発明を実施するための形態】
【００２７】
本発明者らは、ＴＤＭ−ＰＯＮまたはＴＷＤＭ−ＰＯＮでマクロセルと複数のスモールセルを収容しようとすると、許容光損失および光通信帯域の観点から非効率となる点に着目し、ＯＬＴを、制御信号用のＣプレーンとデータ信号用のＵプレーンとをそれぞれ独立して取り扱うように構成することによって、一つのＯＬＴでマクロセルおよび多数のスモールセルを効率的に収容することができることを見出し、本発明をするに至った。
【００２８】
すなわち、本発明の局側光終端装置は、受動光アクセス網に適用され、複数の加入者側光終端装置と光通信を行なう局側光終端装置であって、第１の加入者側光終端装置との間で光通信を行なう第１の光送受信部および第２の加入者側光終端装置との間で光通信を行なう第２の光送受信部と、前記第１の加入者側光終端装置からリソースを要求するリソース要求信号を受信せずに、前記第１の光送受信部を介して前記第１の加入者側光終端装置にリソースの割り当てを行なう一方、前記第２の加入者側光終端装置から受信した前記リソース要求信号に基づいて、前記第２の光送受信部を介して前記第２の加入者側光終端装置にリソースの割り当てを行なう制御部と、を備えることを特徴とする。
【００２９】
これにより、本発明者らは、１台の局側光終端装置で第１の加入者側光終端装置および第２の加入者側光終端装置を効率的に収容することを可能とした。すなわち、マクロセルおよび多数のスモールセルを一つのＯＬＴ（Optical Line Terminal）で効率的に収容することを可能とした。以下、本発明の実施形態について、図面を参照しながら具体的に説明する。
【００３０】
（第１の実施形態）
図１は、第１の実施形態に係る光通信システムの概略構成を示す図である。この光通信システムは、１つの局側光終端装置（ＯＬＴ）１０、幹線光ファイバ２０、光カプラ２１、分岐光ファイバ２２、２３−１〜２３−ｎ、および複数の加入者側光終端装置（ＯＮＵ）３０、４０−１〜４０−ｎから構成されており、受動光アクセス網（PON：Passive Optical Network）を形成している。
【００３１】
本実施形態におけるＰＯＮは、ＴＷＤＭ−ＰＯＮ、つまり、波長多重と時分割多重を併用する。従って、各ＯＮＵ３０、４０−１〜４０−ｎは、上り方向、つまり、ＯＮＵからＯＬＴ方向のデータ伝送に使用するリソースを、ＯＬＴ１０は、波長と送信期間により指定する。以下の説明において、ＯＬＴ１０がＯＮＵ３０、４０−１〜４０−ｎにリソースを通知するための信号をリソース割り当て信号（Grant）と呼ぶものとする。
【００３２】
また、ＯＬＴ１０がＯＮＵ３０、４０−１〜４０−ｎにリソース割り当てを行なうに当たり、ＯＬＴ１０は、ＯＮＵ３０、４０−１〜４０−ｎが上り方向に送信する必要があるデータ量についての情報を、各ＯＮＵ３０、４０−１〜４０−ｎから受信する。以下の説明において、ＯＮＵ４０−１〜４０−ｎが送信データ量をＯＬＴ１０に通知するための信号をリソース要求信号（Report）と呼ぶものとする。
【００３３】
本実施形態において、ＴＤＷＭ−ＰＯＮは、下り方向にはλ０−１〜λｎ−１のｎ＋１個の波長を使用し、上り方向にはλ０−２〜λｎ−２のｎ＋１個の波長を使用するものとする。ここで、λｋ−１とλｋ−２（ｋ＝０〜ｎの整数）を、下り方向と上り方向のペアとする。本実施形態におけるＯＬＴ１０は、ｎ＋１個の光送受信部１２、１３−１〜１３−ｎを備えている。なお、光送受信部１２は、波長λ０−１とλ０−２の光信号の送信処理と受信処理を行なう。
【００３４】
また、本実施形態においては、λ０−１とλ０−２の波長ペアをＣプレーン用とし、残りをＵプレーン用とする。つまり、光送受信部１２は、制御部１５の制御の下、Ｃプレーン用のＯＮＵ（以下、Ｃ−ＯＮＵと呼ぶ）３０にリソース割り当て信号を送信し、Ｃ−ＯＮＵ３０から受信するリソース要求信号を制御部１５に送信する。選択部１６には、Ｃ−ＯＮＵ３０およびＵプレーン用のＯＮＵ（以下、Ｕ−ＯＮＵと呼ぶ）４０−１〜４０−ｎに送信すべきデータが入力される。
【００３５】
選択部１６は、制御部１５の制御の下、Ｃ−ＯＮＵ３０およびＵ−ＯＮＵ４０−１〜４０−ｎへのデータを、当該Ｃ−ＯＮＵ３０およびＵ−ＯＮＵ４０−１〜４０−ｎに割り当てた波長を処理する高出力光送受信部１３−１〜１３−ｎに出力する。また、光送受信部１２、１３−１〜１３−ｎがＣ−ＯＮＵ３０およびＵ−ＯＮＵ４０−１〜４０−ｎから受信したデータを選択部１６は出力する。なお、波長多重部１４は、下り方向については、ｎ＋１個の光送受信部から受信する波長λ０−１〜λｎ−１のｎ＋１個の波長を波長多重して出力し、上り方向においては、受信する光信号に含まれる波長λ０−２〜λｎ−２の信号を分離して、対応する光送受信部に出力する。
【００３６】
本実施形態では、Ｃ−ＯＮＵ３０用の光送受信部１２は、相対的に、光出力レベルが低く、受信感度も高くない光送受信モジュールで構成され、光通信帯域は１Ｇｂｉｔ／ｓ程度の低速なものとする。一方、Ｕ−ＯＮＵ４０−１〜４０−ｎ用の光送受信部１３−１〜１３−ｎは、光送受信部１２よりも光出力レベルが高く、受信感度の高い光送受信モジュールで構成され、光通信帯域は１０Ｇｂｉｔ／ｓ程度の高速なものとする。
【００３７】
Ｃ−ＯＮＵ３０における光送受信部３１は、ＯＬＴ１０の光送受信部１２と対向し、ＯＬＴ１０との間で波長λ０−１とλ０−２の光信号の送信処理と受信処理を行なう。なお、光送受信部３１は、波長λ０−１で受信するリソース割り当て信号を制御部３３に出力する。また、当該リソース割当信号に基づき、上りデータ信号を波長λ０−２の光信号で送信する。Ｃ−ＯＮＵ３０は、ＯＬＴ１０からのリソース割り当て信号によって発光し、ＯＬＴ１０に対してリソース要求信号を送信しない。即ち、ＯＬＴ１０とＣ−ＯＮＵ３０とは、ＯＬＴ１０から強制的にリソースを割り当てられる。
【００３８】
図２は、ＯＬＴとＣ−ＯＮＵとの光通信の様子を示すシーケンスチャートである。図２に示すように、ＯＬＴ１０とＣ−ＯＮＵ３０は、固定の光通信帯域で上下データ送受信する。なお、波長多重部３２は、上り方向と下り方向の波長の分離を行なう。
【００３９】
次に、Ｕ−ＯＮＵについて説明する。Ｕ−ＯＮＵ４０−１〜４０−ｎは、それぞれ同じ構成であるため、Ｕ−ＯＮＵ４０−１を例として動作を説明する。波長可変光送受信部４１は、ＯＬＴ１０から受信した波長λｐ−１（ｐは１〜ｎのいずれかの整数）のリソース割り当て信号を制御部４３に出力する。制御部４３から出力されたリソース要求信号および上りデータ信号を時間軸で多重し、波長λｐ−２の光信号で送信する。また、制御部４３は、ＯＬＴ１０から受信するリソース割り当て信号に従い、割り当てた波長を使用できる様に、波長可変送受信部４１および波長可変フィルタ４４を制御する。
【００４０】
波長可変送受信部４１は、送信波長については、少なくともλ１−２〜λｎ−２で可変であり、受信波長については、少なくとも波長λ１−１〜λｎ−１で可変である。なお、上述した様に、使用する波長ペアは、制御部４３により制御される。波長可変フィルタ４４は、受信する光信号に含まれる波長λ１−１〜λｎ−１の内の１つの波長の光信号を波長可変光送受信部４１に出力する。なお、どの波長の光信号を出力するかについては、上述した様に、制御部４３が制御する。波長多重部４２は、上り方向と下り方向の波長の分離を行なう。
【００４１】
本実施形態では、ＯＬＴ１０において、Ｃプレーン用の光送受信部１２と比較して、Ｕプレーン用の光送受信部１３−１〜１３−ｎの光出力レベルおよび受信感度を高くすることで、許容光損失を拡大することができる。その結果、マクロセルおよびスモールセルを１つのＯＬＴ１０で収容することが可能となる。また、Ｃプレーン用のＣ−ＯＮＵ３０に対しては固定の光通信帯域で通信する一方、Ｕプレーン用のＵ−ＯＮＵ４０−１〜４０−ｎに対しては、図３に示すシーケンスチャートのように、動的に時間スロットおよび波長を制御することで、必要な光通信帯域の異なるマクロセルおよびスモールセルを効率的に収容できる。
【００４２】
なお、光カプラ２１の光分岐比を非対称としても良い。例えば、Ｃ−ＯＮＵ３０へ接続する分岐光ファイバ２２への光出力レベルが低く、分岐光ファイバ２３−１〜２３−ｎへの光出力レベルが高くなるような非対称な光カプラを用いれば、ＯＬＴ１０における光送受信器１３−１〜１３−ｎも光出力レベルおよび受光感度の低い光送受信モジュールで構成することができる。
【００４３】
以上の説明では、ＴＷＤＭ−ＰＯＮを用いて本実施形態の説明を行なったが、本発明は、時分割多重のみを使用するＴＤＭ−ＰＯＮに対しても適用することができる。ＴＤＭ−ＰＯＮを適用する場合、光カプラ２１の光分岐比を非対称とし、１つの波長において、Ｃ−ＯＮＵ３０に対しては固定帯域で通信し、Ｕ−ＯＮＵ４０−１〜４０−ｎに対しては動的に時間スロットを制御する。
【００４４】
（第２の実施形態）
図４は、第２の実施形態に係る光通信システムの概略構成を示す図である。図４に示すように、第２の実施形態では、ＯＬＴ１０とＵ−ＯＮＵ４０−１〜４０−ｎの中間に光中継装置６０を挿入する構成を採る。ＯＬＴ１０と光中継装置６０とは、中継光ファイバ５０で接続され、光中継装置６０は、Ｃ−ＯＮＵ３０に相当する部分と、波長λ１−１〜λｎ−１の下り光信号および波長λ１−２〜λｎ−２の上り光信号を再生する光再生部６１とから成る。光再生部６１は、光−電気−光（Ｏ／Ｅ／Ｏ）変換する構成でも、光増幅器等を用いる構成でもいずれであっても良い。
【００４５】
以上説明したように、本実施形態によれば、１台のＯＬＴでＣ−ＯＮＵおよび複数のＵ−ＯＮＵを効率的に収容することが可能となる。
【符号の説明】
【００４６】
１０  局側光終端装置（ＯＬＴ）
１２  光送受信部
１３−１〜１３−ｎ  高出力光送受信部
１４  波長多重部
１５  制御部
１６  選択部
２０  幹線光ファイバ
２１  光カプラ
２２、２３−１〜２３−ｎ  分岐光ファイバ
３０  Ｃプレーン用加入者側光終端装置（Ｃ−ＯＮＵ）
３１  光送受信部
３２  波長多重部
３３  制御部
４０−１〜４０−ｎ  Ｕプレーン用加入者側光終端装置（Ｕ−ＯＮＵ）
４１  波長可変光送受信部
４２  波長多重部
４３  制御部
４４  波長可変フィルタ
５０  中継光ファイバ
６０  光中継装置
６１  光再生部
【図１】
2016010036.tif 000003
【図２】
2016010036.tif 000004
【図３】
2016010036.tif 000005
【図４】
2016010036.tif 000006
【図５】
2016010036.tif 000007
【図６】
2016010036.tif 000008